(57)【特許請求の範囲】
【請求項１】
手袋本体の手の甲側表面において、親指の付け根近傍から小指側の手首面部近傍まで斜めに渡って弾性層帯を形成し、
前記弾性層帯は前記手袋本体の生地表面に貼着され、貼着後に前記弾性層帯の収縮力により収縮し、前記手袋本体の生地の弾性層帯貼着部分に多数の襞が形成されており、
前記弾性帯層により、手を前記手の甲を親指の付け根から小指側の手首側面に渡って斜めに締め付けるようにしたことを特徴とする作業用手袋。
【請求項２】
前記弾性層帯がゴム材からなることを特徴とする請求項１に記載の作業用手袋。
【請求項３】
前記手袋本体の手の平の表面にゴム材が形成されていることを特徴とする請求項１又は２に記載の作業用手袋。
【発明の詳細な説明】
【０００１】
【発明の属する技術分野】
本発明は、綿手袋や軍手などの作業用手袋に関するものである。
【０００２】
【従来の技術】
作業用手袋として、軍手は広範囲にわたって利用されているが、指先方向への負荷が伴う作業に軍手を用いた場合に、手から軍手がずれやすくなるという問題は従来より指摘されている。前記作業例としては、運送業における荷の受け渡し作業、積み卸し作業等があり、作業中に軍手が次第にずれてくると、受け渡し、積み卸しの合間ごとにそのずれを直すといった煩わしさを生じ、作業の迅速性が損なわれるという問題があった。特に、数秒サイクルの連続した荷の受け渡し、積み卸しが要求される作業のときには、軍手のずれを直す行為すらままならないことがあり、軍手がずれたまま荷の受け渡し、積み卸しを続行するという事態もしばしば生じていた。この場合、軍手の指先の弛んだ部位が荷に挟まれたり、また、荷の確実な把持ができなくなるので、荷の取り落としも発生し易くなり、安全性において問題があった。
【０００３】
また、荷など把持対象物に対する滑り止めとして、手の平側表面全体にゴム材が形成されたタイプの軍手があるが、このゴム材は比較的厚みがあり、柔軟性に欠けることから、手の平側における軍手の伸縮性は殆ど皆無となり、したがって、軍手が手からずれるという現象はより顕著なものとなっていた。
【０００４】
そこで、前記の問題に対処した軍手の一従来例を図３に示す。
軍手２１は、本体２２の手の甲側及び手の平側の手首部分にリング状のゴム層帯２３が形成されている。軍手２１が手に装着されると、このゴム層帯２３が伸びて収縮力を有するようになる。つまり、ゴム層帯２３は装着者の手首部分を締めつけ、軍手２１はこの締めつけ力によってずれが防止されるようになっている。
【０００５】
【発明が解決しようとする課題】
しかしながら、軍手はサイズごとに作られていることは稀で、通常は１サイズの大きさとなっており、このゴム層帯２３の伸縮性は手の小さい作業者でも対応できるように形成されるために、手の大きい作業者には窮屈なものとなり、長時間の使用においては、手に痛みを覚えるという問題があった。
更に、ゴム層帯２３により手首部分を局部的に締め付けるため、圧迫感があり、装着感が悪いという問題があった。
【０００６】
本発明は、このような問題点を解決するために創作されたものであり、装着者の手の大きさに関係なく、適宜のフィット感を有して、手からずれにくく、装着感の良い作業用手袋を提供することを目的としている。
【０００７】
【課題を解決するための手段】
本発明は前記問題点を解決するための手段として、手袋本体の手の甲側表面において、親指の付け根近傍から小指側の手首面部近傍まで斜めに渡って弾性層帯を形成し、
前記弾性層帯は前記手袋本体の生地表面に貼着され、貼着後に前記弾性層帯の収縮力により収縮し、前記手袋本体の生地の弾性層帯貼着部分に多数の襞が形成されており、
前記弾性帯層により、手を前記手の甲を親指の付け根から小指側の手首側面に渡って斜めに締め付けるようにしたことを特徴とする作業用手袋とした。
また、前記弾性層帯がゴム材からなることを特徴とする請求項１に記載の作業用手袋とした。
また、前記手袋本体の手の平の表面にゴム材が形成されていることを特徴とする請求項１又は２に記載の作業用手袋とした。
【０００８】
【発明の実施の形態】
本発明に係る作業用手袋の実施の形態を図面に基づいて説明する。
図１は手に装着した場合の作業用手袋の外観図であり、図１（ａ）は上面図、図１（ｂ）は側面図、図２は他の実施形態における作業用手袋の上面図である。
【０００９】
図１において、本発明に係る作業用手袋１は、把持対象物に対する滑り止め用として、本体２の手の平側表面のほぼ全体にわたって、ゴム材３が形成されており、滑り止め機能を向上させるため粒状突起３ａが均一に分布されている。
なお、本体２は、綿手袋や軍手などであり、布製であればその種類は限られない。
【００１０】
また、作業用手袋１は、本体２の手の甲側表面において、親指４の付け根部近傍から、小指５側の手首側面部近傍までに渡って斜めに、弾性層帯が形成される。弾性層帯の材質は、弾性力を有するものであれば種類は問わない。本実施形態では、前記ゴム材３と同じ材料を使用してゴム層帯６としている。但し、粒状突起の形成はなされていない。また、本実施形態では、このゴム層帯６を、親指４の付け根部において前記手の平側に形成したゴム材３に連続形成させており、一方、他端側である小指５側の手首側面部においては、図１（ｂ）に示すようにゴム材３との間に適宜の間隔Ｌ２を確保するよう配置される。ゴム層帯６の幅寸法Ｌ１は約２５ｍｍとしてある。ゴム層帯６の形成工程は、本体２の生地が伸長された状態で本体２の生地表面に貼着されることにより行われ、貼着後、伸長を解除すると、ゴム層帯６がゴムの収縮力により収縮し、本体２の生地のゴム層帯６貼着部分に多数の襞が形成されるようになっている。
【００１１】
作業用手袋１は以上のような構成からなるので、手に装着すると、ゴム層帯６が弾性力に抗して伸びて、すなわち収縮力を有するようになり、手の甲を親指の付け根から小指側の手首側面に渡って斜めに締め付けることになる。装着試験の結果、このゴム層帯６により斜めに締め付けることは、装着者の手の大きさに関係なく、あらゆる装着者に適宜のフィット感を感じさせるとともに、作業用手袋が手からずれにくくなることが判明した。
本実施形態のように、手の平側にゴム材３が形成されている場合であっても、ゴム材３との間には間隔Ｌ２が形成されているので、ゴム材３の手首側は比較的緩やかな収縮力のため、適宜のフィット感を生じさせるが、圧迫感は感じられず、装着感は良好である。
【００１２】
次に、図２に沿って一部変更した他の実施形態を説明する。
前記実施形態では、作業用手袋１のゴム層帯を連続した１本の帯に形成したのに対し、図２に示す作業用手袋１１は、本体１２の手の甲側表面にゴム層帯１５，１５，…を断片的に形成したものである。この場合も、ゴム層帯１５，１５，…の一端は親指１３の付け根部から始まっており、他端側は小指１４側の手首側面部となっている。このようにゴム層帯を断片的に形成しても、ゴム層帯全体が親指と小指側の手首側面部との間に収縮力を有するので、適宜のフィット感を生じさせると共に、作業用手袋が手からずれにくくなる。
【００１３】
なお、前記２つの実施形態では、作業用手袋の手の平側にゴム材が形成されている場合としたが、これに限らず、作業用手袋の手の平側にビニール材を形成してもよく、また作業用手袋の本体の生地のままでも適応可能であることは勿論である。
以上、本発明に係る作業用手袋の好適な実施形態について説明したが、弾性層帯の形状等については、図面に記載したものに限らず、本発明の主旨を逸脱しない範囲で適宜設計変更することが可能である。
【００１４】
【発明の効果】
本発明による作業用手袋によれば次のような効果を奏する。
作業用手袋本体の手の甲側表面において、親指の付け根部近傍から、小指側の手首側面部近傍までに渡って、斜めに弾性層帯を形成することにより、装着者の手の大きさに関係なく、長時間使用しても圧迫感がなく、適宜のフィット感を生じさせ、装着感の良い、しかも手からずれにくい作業用手袋を実現させることができる。
また、弾性層帯が親指の付け根部近傍から小指側の手首側面部近傍まで斜めに形成されているだけなので、加工が容易で、しかもコストの安い作業用手袋とすることができる。
また、手袋本体の手の平側表面にゴム材が形成されているので、荷など把持対象物に対する滑り止めがなされ、作業性が良好である。
【図面の簡単な説明】
【図１】手に装着した場合の作業用手袋の外観図であり、図１（ａ）は上面図、図１（ｂ）は側面図である。
【図２】他の実施形態における作業用手袋の上面図である。
【図３】作業用手袋の一従来例を示す説明図である。
【符号の説明】
１    作業用手袋
２    本体
３    ゴム材
４    親指
５    小指
６    ゴム層帯
１１    作業用手袋
１２    本体
１３    親指
１４    小指
１５    ゴム層帯
【図１】
0003586855.tif 000002
【図２】
0003586855.tif 000003
【図３】
0003586855.tif 000004